(57)【要約】【課題】確実に強固なペン先の取り付けが得られ、しかも、ペン先取付時、ペン先の損傷を防止する。【解決手段】繊維よりなるペン先２を筒状のペン先保持部３に保持させる。前記ペン先２が、先端に形成した小径部２１と、該小径部２１の後方に形成した大径部２２と、該小径部２１と該大径部２２との間に形成した段部２３とを備える。前記ペン先保持部３が、前方保持部４と、該前方保持部４の後方に固着される後方保持部５とからなる。前記前方保持部４が、前記ペン先２の小径部２１を後方から前方に突出させる先端孔４１ａと、前記ペン先２の段部２３に食いつき係止する鋭角に尖成された係止突部４１ｂとを備える。前記後方保持部５が、前記ペン先２の大径部２２の後端を支持する規制壁部５１を備える。【選択図】  図１
2004148761.tif 000002
【特許請求の範囲】
【請求項１】
繊維よりなるペン先を筒状のペン先保持部に保持させるペン先取付構造であって、前記ペン先が、先端に形成した小径部と、該小径部の後方に形成した大径部と、該小径部と該大径部との間に形成した段部とを備え、前記ペン先保持部が、前方保持部と、該前方保持部の後方に固着される後方保持部とからなり、前記前方保持部が、前記ペン先の小径部を後方から前方に突出させる先端孔と、前記ペン先の段部に食いつき係止する鋭角に尖成された係止突部とを備え、前記後方保持部が、前記ペン先の大径部の後端を支持する規制壁部を備えたことを特徴とするペン先取付構造。
【請求項２】
前記小径部の後端の外径と前記大径部の先端の外径との差が、０．５ｍｍ以上である請求項１記載のペン先取付構造。
【発明の詳細な説明】
【０００１】
【発明の属する技術分野】
本発明は、ペン先取付構造に関する。詳細には、繊維よりなるペン先を筒状のペン先保持部に保持させるペン先取付構造に関する。本発明で、「前」とはペン先側を指し、「後」とはその反対側を指す。
【０００２】
【従来の技術】
従来、例えば、特許文献１には、軸筒先端部のペン先保持部内周面に垂直方向に向かう平行の複数個の突条を立設し、該突条の先端及び末端を鋭角に尖成し、上方係止部及び下方係止部を形成せる筆記具のペン先固定装置が開示されている。
【０００３】
【特許文献１】
実開昭５０−５４２２７号
【０００４】
【発明が解決しようとする課題】
前記特許文献１に記載された構造は、鋭角に尖成された係止部が食い込み係止される段部を、ペン先の中間部を突条により圧搾して形成する構造である。そのため、十分な大きさの段部が形成されず、強固なペン先の取り付けが確実には得られず、ペン先がペン先保持部より僅かの力で脱落するおそれがある。
【０００５】
また、前記従来の構造は、ペン先をペン先保持部に内部より圧入する際、ペン先を突条の鋭角に尖成された下方係止部に引っかけて、ペン先を損傷させるおそれがある。
【０００６】
特に、前記従来の構造は、軟質の繊維製ペン先の場合、ペン先が僅かの力でペン先保持部より抜けたり、ペン先取付時の損傷が発生しやすい。
【０００７】
本発明は前記従来の問題点を解決するものであって、確実に強固なペン先の取り付けが得られ、しかも、ペン先取付時、ペン先の損傷を防止できるペン先取付構造を提供しようとするものである。
【０００８】
【課題を解決するための手段】
〔１〕本発明は、繊維よりなるペン先２を筒状のペン先保持部３に保持させるペン先取付構造であって、前記ペン先２が、先端に形成した小径部２１と、該小径部２１の後方に形成した大径部２２と、該小径部２１と該大径部２２との間に形成した段部２３とを備え、前記ペン先保持部３が、前方保持部４と、該前方保持部４の後方に固着される後方保持部５とからなり、前記前方保持部４が、前記ペン先２の小径部２１を後方から前方に突出させる先端孔４１ａと、前記ペン先２の段部２３に食いつき係止する鋭角に尖成された係止突部４１ｂとを備え、前記後方保持部５が、前記ペン先２の大径部２２の後端を支持する規制壁部５１を備えたこと（請求項１）を要件とする。
【０００９】
前記請求項１のペン先取付構造は、前方保持部４の後方からペン先２を挿入した後、該前方保持部４に後方保持部５を固着させ、それにより、ペン先２の小径部２１を前方保持部４の先端孔４１ａより前方に突出させ、ペン先２の段部２３を前方保持部４の係止突部４１ｂに食いつき係止させるとともに、ペン先２の大径部２２の後端を後方保持部５の規制壁部５１に支持させるものである。
【００１０】
即ち、前記請求項１のペン先取付構造は、ペン先２の段部２３を圧搾により形成するものではないため、段部２３を予め大きく形成することができ、強固なペン先２の取り付けが確実に得られ、しかも、ペン先取付時、ペン先２の損傷を防止できる。
【００１１】
〔２〕前記請求項１のペン先取付構造において、前記小径部２１の後端の外径Ｃと前記大径部２２の先端の外径Ｄとの差が、０．５ｍｍ以上であること（請求項２）が好ましい。
【００１２】
それにより、段部２３を十分な大きさに設定でき、強固なペン先取付構造が、より一層確実に得られる。前記小径部２１の後端の外径Ｃと大径部２２の先端の外径Ｄとの差（Ｄ−Ｃ）が、０．５ｍｍより小さい場合、係止突部４１ｂと段部２３との十分な食いつき係止が得られないおそれがある。
【００１３】
尚、前記小径部２１の後端の外径Ｃと大径部２２の先端の外径Ｄとの差は、６ｍｍ以下が好ましい。なぜなら、前記小径部２１の後端の外径Ｃと大径部２２の先端の外径Ｄとの差が、６ｍｍより大きくなると、段部２３が極めて大きく設定されるため、係止突部４１ｂを鋭角に尖らせて、食いつき係止させる必要がなくなるからである。
【００１４】
【発明の実施の形態】
本発明の実施の形態を図面に従って説明する。
【００１５】
本発明の一実施例を図１乃至図４に示す。これは、本発明のペン先取付構造を適用した筆記具１の例である。図１は、筆記具１の縦断面図である。図２は、図１のＡ−Ａ線断面図である。図３は図１のＢ−Ｂ線断面図である。図４は、前方保持筒４、ペン先２、及び後方保持筒５を分解した状態を示す縦断面図であり、（ａ）は前方保持筒４を示し、（ｂ）はペン先２を示し、（ｃ）は後方保持筒５を示す。
【００１６】
本実施例の筆記具１は、ペン先２と、該ペン先２を保持するペン先保持筒３と、該ペン先保持筒３が先端開口部に取り付けられる軸筒６とからなる。
【００１７】
・ペン先
前記ペン先２は、軟質の繊維束の棒状の樹脂加工体（例えば、ポリアミド繊維の樹脂加工体）である。前記ペン先２は、先端が曲面状に研削された小径部２１と、該小径部２１の後方に形成される大径部２２と、該小径部２１と該大径部２２の間に形成される段部２３とを備える。尚、本実施例では、前記小径部２１の後端の外径Ｃは７ｍｍに設定され、前記大径部２２の外径Ｄは８ｍｍに設定される。それにより、前記小径部２１の後端の外径Ｃと前記大径部２２の先端の外径Ｄとの差は、１ｍｍに設定され、十分な大きさの段部２３が得られる。
【００１８】
・ペン先保持筒
前記ペン先保持筒３は、前方保持筒４と、該前方保持筒４に固着される後方保持筒５とからなる。前記前方保持筒４は、合成樹脂（例えば、ＡＢＳ樹脂）の射出成形体であり、先細状の前部４１と、該前部４１の後方に形成される後部４２と、該前部４１と該後部４２との間に形成される肩部４３とからなる。
【００１９】
前記前方保持筒４の先細状の前部４１の先端には、先端孔４１ａが形成される。前記先端孔４１ａの内面には、鋭角に尖成された係止突部４１ｂが後方に突出される。前記係止突部４１ｂは複数（ここでは３個）に分割されて環状に配置され、前記係止突部４１ｂの相互間に空気孔４１ｃが形成される。前記係止突部４１ｂの角度α（軸線となす角度）は、ペン先２の段部２３との十分な食いつきが得られる点で、７５度以下が好ましく、さらに、係止突部４１ｂの十分な強度が得られる点で、２０度以上が好ましい。本実施例では、前記係止突部４１ｂの角度αは、４０度に設定される。
【００２０】
前記後方保持筒５は、内面に規制壁部５１を備え、該規制壁部５１が、ペン先２の後端（即ち大径部２２後端）と軸方向に当接する。前記規制壁部５１は、複数の凸部からなり、前記凸部相互間に隙間５１ａが形成される。また、前記規制壁部５１の径方向外方の後方保持筒５の側壁には、軸筒６内部と前記隙間５１ａとを連通させる流通孔５２が径方向に貫設される。それにより、筆記時、軸筒６内の塗布液がペン先２の後端に円滑に供給される。
【００２１】
前記軸筒６には、塗布液として、水が収容され、水像シートに筆記可能な筆記具として適用される。この他にも、塗布液として、インキ、化粧液、薬液等を収容することもできる。
【００２２】
前記後方保持筒５の先端外周縁は、前記前方保持筒４の内周面に固着される。前記固着手段は、例えば、超音波溶着、接着、圧入等が挙げられる。
【００２３】
前記前方保持筒４の後部４２の内面には、雌ねじ部４２ａが形成され、それが、軸筒６の先端開口部の雄ねじ部６１と着脱自在に螺合される。ペン先保持筒３が軸筒６に螺着された際、前記ペン先保持筒３の肩部４３の内面は、軸筒６の先端に当接される。
【００２４】
尚、前記ペン先保持筒３（ペン先保持部）は、軸筒６と一体に連設される構成でもよい。
【００２５】
尚、本発明によれば、ペン先抜き力（即ち、外部に突出するペン先２の小径部２１を引っ張って、ペン先２をペン先保持部より抜く力）は１０Ｎ（ニュートン）以上に設定され、極めて強固なペン先取付構造となる。
【００２６】
【発明の効果】
請求項１により、強固なペン先の取り付けが確実に得られるとともに、ペン先取付時、ペン先の損傷を防止できる。
【００２７】
請求項２により、段部を十分な大きさに設定でき、強固なペン先取付構造が、より一層確実に得られる。
【図面の簡単な説明】
【図１】本発明の一実施例を示す縦断面図である。
【図２】図１のＡ−Ａ線断面図である。
【図３】図１のＢ−Ｂ線断面図である。
【図４】前方保持筒、ペン先、及び後方保持部を分解した状態を示す図である。
【符号の説明】
１  筆記具
２  ペン先
２１  小径部
２２  大径部
２３  段部
３  ペン先保持筒（ペン先保持部）
４  前方保持筒（前方保持部）
４１  前部
４１ａ  先端孔
４１ｂ  係止突部
４１ｃ  空気孔
４２  後部
４２ａ  雌ねじ部
４３  肩部
５  後方保持筒（後方保持部）
５１  規制壁部
５１ａ  隙間
５２  流通孔
６  軸筒
６１  雄ねじ部
α  係止突部の角度
Ｃ  小径部の後端の外径
Ｄ  大径部の先端の外径
【図１】
2004148761.tif 000003
【図２】
2004148761.tif 000004
【図３】
2004148761.tif 000005
【図４】
2004148761.tif 000006